(57)【要約】【課題】  建物内等における通路が交差するコーナーにおいては、コーナー前方が死角となるため、通行人同士が出会い頭で衝突する危険性があったが、本発明は、コーナー死角部を透視可能にすることにより、安全を確保するものである。【解決手段】  平面プリズム効果を組み合わせた設備をコーナーに取り付け可能とすることにより、コーナー死角からの光をコーナー手前の人に導くことによりコーナー死角部を透視可能とする。【選択図】図２
2008233839.tif 000002
【特許請求の範囲】
【請求項１】
長手方向にほぼ同一で左右対称の断面を有し、背面にほぼ直角の窪みを持つとともに、左右の側面に光路を変更させるプリズム機能を備えたことを特徴とするコーナー透視具
【請求項２】
プリズム機能を得るための手段として、主要部分を透明体で構成したことを特徴とする請求項１記載のコーナー透視具
【請求項３】
プリズム機能を得るための手段として、平面プリズムを使用したことを特徴とする請求項１記載のコーナー透視具
【発明の詳細な説明】
【技術分野】
【０００１】  本発明は、通路が交差するコーナーにおける前方死角部を透視可能にする、コーナー透視具に関するものである。
【背景技術】
【０００２】  従来、建物内等における通路が交差するコーナーにおいては、コーナー前方が死角となるため、通行人同士が出会い頭で衝突する危険性があった。
場所によっては、コーナーから離れた位置に反射鏡を配置することによって透視する設備が配置されている。
また、一部にはコーナーに単に反射鏡を配置する案も提案されているが、ほとんど実用化されていない。
他方、透明体で屈折率の高い材料が種々入手可能であると共に、プラスチックの加工技術が進歩し、表面に凹凸を付けることにより薄い板をプリズムとして機能させる平面プリズムが容易に入手可能となっている。
【発明の開示】
【発明が解決しようとする課題】
【０００３】  従来の反射鏡に関しては、次のような欠点があった。
（イ）最も一般的な方法として想定される当該コーナーから離れた場所に反射鏡を配置する方法では、建物内部のように配置場所に制約がある場合には大きな反射鏡を配置することができないため、透視有効範囲が狭いことに加え、建物内部の景観を害するという問題があった。
（ロ）当該コーナーに反射鏡を配置する方法では、透視可能な領域が狭く実質的に有効な手段とならないという問題があった。
本発明は以上の問題を解決しようとするものである。
【課題を解決するための手段】
【０００４】  一定の長さを有する透明体１の断面は、その背面において壁面コーナーに取り付け可能なように、ほぼ直角の窪み３を有するとともに、側面２−１および２−２は左右対称に先端に向けて幅が狭くなる形状とする。
側面２−１に入射した光は、透明体１を構成する材料の屈折率に従って光路を変更された後に、側面２−２に到達し、外部に導出される。側面２−２から外部に導出されるときに、再度透明体１を構成する材料の屈折率に従って光路を偏向されて外部に出ることになる。
透明体の側面２−１および２−２は、先端に向けて狭くなるように構成されているために、コーナー奥から入射した光は、全体としてコーナーを回り込むように光路を変更されて、コーナー手前の人の目に到達する。これによって、コーナー奥の通常は死角領域にある物体を反対側のコーナーから透視することが可能となる。
【発明の効果】
【０００５】  本発明は、主として建物内の歩行者用通路が交差するコーナーにおいて、通常は死角となるコーナー奥をコーナー手前から透視することを可能とするものである。
このため、コーナーにおける出会い頭の衝突を事前に回避することができるという安全上の効果が期待できる。
さらに、透明体のプリズムから構成されるために、コーナーに美しい飾りとなり、建物内の景観を改善するという効果も期待される。
【発明を実施するための最良の形態】
【０００６】  図１は、建物内の歩行者通路１１にあるコーナー１０に、本発明によるコーナー透視具１を設置した代表的な使用方法を示す透視具設置状況図である。コーナー透視具１は、歩行者の眼の高さに合わせ、且つ上下方向に一定の長さを有することが望ましい。
図２は、本発明によるコーナー透視具１の代表的な構成を示す基本構成斜視図で、全体は透明体により構成され、側面２−１、２−２、背面３、上下に取り付け具１２を有する。側面２−１および２−２は、左右対称につくることが望ましく、断面はコーナー出角に沿わせる目的で背面に直角のくぼみを設け、側面部は直線で構成される三角形状もしくは曲線で構成される円形状に近いものいずれでもよいが、先端に向けて幅を狭くすることによって、プリズム効果を得ることが特徴である。
本コーナー透視具は、本体の上下に設けた取り付け具１２を介して壁面に取り付けることができるが、両面接着テープ等を利用して固定すること等種々の方法が考えられる。
図３は、平面プリズムを採用した場合の、一部切り欠きの他の実施例構成斜視図で平面プリズム６−１、６−２、背面固定版１３から構成され内部は空洞となる。
図４は、コーナー透視具１の基本断面により機能を説明するための代表例の断面図であり、４は通行人の眼、５は通行人の眼４に至る光の経路を示している。
光の経路５に示すように、通行人の眼４に対して反対側のコーナー奥から来る光は、側面２−１で光路が変更された後に側面２−２に到達し、再度光路が変更された後に通行人の眼４に至る。これによって、通行人は通常は透視できないコーナー奥の人影等を透視することができる。
図５は、プリズム機能を得る手段として、側面に平面プリズム６−１および６−２を設ける本発明によるコーナー透視具の他の実施例で、１３は背面固定板である。
本図に於ける機能は、図４の場合と全く同じであり、平面プリズム６−１経由で入射して光路を変更された光は、平面プリズム６−２により再度光路を変更されて外に導出され通行人の眼４に至る。
本案の場合には、平面プリズム６−１と６−２を平行に張り合わせて構成する方法や、二枚を八の字のように角度をつけて構成する方法等が考えられる。いずれの場合にも、平面プリズムに設けられた凹凸が内側に配置され、外部から埃等が侵入しないように構成することが望ましい。
図６は、平面プリズム６−１もしくは６−２の代表的な構成を示すプリズム断面図である。透明な材料から構成された板７の表面に鋸歯状の凹凸８を設けることにより、薄い材料でありながら大型のプリズムを容易に製作することが可能となっており、鋸歯状の凹凸の形状を調節することによって偏光角を設定することが可能となる。
図７は、他の実施例のプリズム断面図である。鋸歯状の凹凸８は、平面プリズムの幅方向にその形状を変化させていることが特徴であり、これによって平面プリズムの偏光角を調整することが可能となり、本発明のコーナー透視具１に適用することによって、透視可能な視野を広くする等、より優れた透視機能を確保することが可能となる。鋸歯状の凹凸を幅方向に変化させる技術そのものはフレネルレンズ等において採用されている事柄であり、技術的には確立されている。
【図面の簡単な説明】
【０００７】
【図１】透視具設置状況図
【図２】基本構成斜視図
【図３】他の実施例構成斜視図
【図４】代表例の断面図
【図５】他の実施例断面図
【図６】プリズム断面図
【図７】他の実施例のプリズム断面図
【符号の説明】
【０００８】  １・・・コーナー透視具
２−１、２−２・・・側面
３・・・背面
４・・・通行人の眼
５・・・光の経路
６−１、６−２・・・平面プリズム
７・・・透明な材料で構成された板
８・・・鋸歯状の凹凸
１０・・・コーナー
１１・・・通路
１２・・・取り付け具
１３・・・背面固定版
【図１】
2008233839.tif 000003
【図２】
2008233839.tif 000004
【図３】
2008233839.tif 000005
【図４】
2008233839.tif 000006
【図５】
2008233839.tif 000007
【図６】
2008233839.tif 000008
【図７】
2008233839.tif 000009